(57)【特許請求の範囲】
【請求項１】
有機溶剤を含有する有機溶剤含有ガスを接触させることで前記有機溶剤を吸着し且つ前記有機溶剤含有ガスよりも高温の排ガスを接触させることで吸着した前記有機溶剤を脱着する吸着素子を含み、前記吸着素子に前記有機溶剤含有ガスが導入されることによって前記有機溶剤を前記吸着素子に吸着させて清浄ガスを排出する吸着部と、前記吸着素子に前記排ガスが導入されることによって前記有機溶剤を前記吸着素子から脱着させて前記有機溶剤を含有する脱着ガスを排出する脱着部と、前記脱着部における前記吸着素子の脱着処理が完了した部分が前記吸着部への移行の前に移行するパージ部とを有する濃縮装置と、
前記脱着ガスまたは前記排ガスを含む前記脱着ガスを冷却し凝縮して前記有機溶剤を回収する冷却回収装置と、
を備え、
前記吸着部から排出された前記清浄ガスの一部は前記パージ部に導入され、
前記パージ部から排出されたパージ部出口ガスは、前記吸着部に導入される前記有機溶剤含有ガスに混入され、
前記有機溶剤含有ガスは、前記パージ部出口ガスの熱エネルギーを受けて昇温した状態で前記吸着部に導入され、
前記パージ部出口ガスの一部は、前記排ガスとともに前記脱着部に供給され、且つ／または前記脱着ガスとともに前記冷却回収装置に供給され、
前記パージ部出口ガスの残部は、前記有機溶剤含有ガスとともに前記吸着部に導入され、
前記パージ部出口ガスの前記一部と前記パージ部出口ガスの前記残部との風量の比が調節されることによって、前記吸着部に導入される前記有機溶剤含有ガスの温度が調節される、
有機溶剤回収システム。
【請求項２】
有機溶剤を含有する温度が約５０℃〜約２００℃の排ガスから前記有機溶剤を回収する有機溶剤回収システムであって、
前記有機溶剤を含有する有機溶剤含有ガスを接触させることで前記有機溶剤を吸着し且つ前記有機溶剤含有ガスよりも高温の排ガスを接触させることで吸着した前記有機溶剤を脱着する吸着素子を含み、前記吸着素子に前記有機溶剤含有ガスが導入されることによって前記有機溶剤を前記吸着素子に吸着させて清浄ガスを排出する吸着部と、前記吸着素子に前記排ガスが導入されることによって前記有機溶剤を前記吸着素子から脱着させて前記有機溶剤を含有する脱着ガスを排出する脱着部と、前記脱着部における前記吸着素子の脱着処理が完了した部分が前記吸着部への移行の前に移行するパージ部とを有する濃縮装置と、
前記脱着ガスまたは前記排ガスを含む前記脱着ガスを冷却し凝縮して前記有機溶剤を回収する冷却回収装置と、
を備え、
前記有機溶剤含有ガスは、前記冷却回収装置において未回収の前記有機溶剤を含有するガスであり、
前記冷却回収装置へ前記排ガスおよび前記脱着ガスを通過させる割合は、前記排ガスが０％〜５０％であり、前記脱着ガスが５０％〜１００％であり、
前記吸着部から排出された前記清浄ガスの一部は前記パージ部に導入され、
前記パージ部から排出されたパージ部出口ガスは、前記吸着部に導入される前記有機溶剤含有ガスに混入され、
前記有機溶剤含有ガスは、前記パージ部出口ガスの熱エネルギーを受けて昇温した状態で前記吸着部に導入され、
前記パージ部出口ガスの一部は、前記排ガスとともに前記脱着部に供給され、且つ／または前記脱着ガスとともに前記冷却回収装置に供給され、
前記パージ部出口ガスの残部は、前記有機溶剤含有ガスとともに前記吸着部に導入され、
前記パージ部出口ガスの前記一部と前記パージ部出口ガスの前記残部との風量の比が調節されることによって、前記吸着部に導入される前記有機溶剤含有ガスの温度が調節される、
有機溶剤回収システム。
【請求項３】
前記濃縮装置における前記パージ部の前記吸着部に対する割合は、約５％〜約５０％である、
請求項１または２に記載の有機溶剤回収システム。
【請求項４】
前記排ガスは、生産設備から排出されるガスであり、
前記清浄ガスの残部は、前記生産設備に戻される、
請求項１から３のいずれかに記載の有機溶剤回収システム。
【請求項５】
前記濃縮装置は、
回転軸と、
前記回転軸の周りに設けられた前記吸着素子としての筒状吸着体と、を備え、
前記回転軸の周りに前記筒状吸着体を回転させることにより、前記吸着部において前記有機溶剤含有ガス中の前記有機溶剤を吸着した前記吸着素子が、前記脱着部を経て前記パージ部に連続的に移行する、
請求項１から４のいずれかに記載の有機溶剤回収システム。
【請求項６】
前記冷却回収装置へ前記排ガスおよび前記脱着ガスを通過させる割合が、前記排ガスが０％であり、前記脱着ガスが１００％である、
請求項１から５のいずれかに記載の有機溶剤回収システム。
【請求項７】
前記有機溶剤は、ｎ−メチル−２−ピロリドン、Ｎ，Ｎ−ジメチルホルムアミド、Ｎ，Ｎ−ジメチルアセトアミド、またはｎ−デカンである、
請求項１から６のいずれかに記載の有機溶剤回収システム。
【発明の詳細な説明】
【技術分野】
【０００１】
本発明は、有機溶剤を含有する排ガスから有機溶剤を回収する有機溶剤回収システムに関し、特に、各種工場や研究施設等（以下、生産設備と総称する）から排出される有機溶剤を含有する産業排ガスから有機溶剤を効率的に回収する有機溶剤回収システムに関する。
【背景技術】
【０００２】
有機溶剤を含有する排ガスから有機溶剤を回収する処理システムとして、吸着材を含有した吸着素子を利用したものが知られている。この吸着素子を利用した処理システムとしては、排ガスを吸着材に接触させて有機溶剤を吸着させ、これに高温のガスを吹き付けて有機溶剤を脱着させて高濃度の有機溶剤を含有する脱着ガスとして回収する排ガス処理装置が挙げられる（下記の特許文献１，２参照）。
【先行技術文献】
【特許文献】
【０００３】
【特許文献１】特開平０１−１２７０２２号公報
【特許文献２】特開２００７−４４５９５号公報
【発明の概要】
【発明が解決しようとする課題】
【０００４】
上記特許文献１，２においては、排ガス中の有機溶剤を濃縮し冷却凝縮にて回収する際に、吸着材を含有した吸着素子の脱着時の加熱、および高濃度の排ガスや脱着ガスを液化凝縮させる冷却等のエネルギーが必要となる。近年においては、有機溶剤回収システムにおける有機溶剤を効率的に回収するとともに、有機溶剤回収システムに用いられるこのエネルギーの削減（省エネ）が急務となってきている。
【０００５】
本発明は、有機溶剤回収システムに用いられるエネルギーをより削減することが可能な構成を備える有機溶剤回収システムを提供することを目的とする。
【課題を解決するための手段】
【０００６】
本発明の第１の局面に基づく有機溶剤回収システムは、有機溶剤を含有する有機溶剤含有ガスを接触させることで上記有機溶剤を吸着し且つ上記有機溶剤含有ガスよりも高温の排ガスを接触させることで吸着した上記有機溶剤を脱着する吸着素子を含む。
【０００７】
さらに、当該有機溶剤回収システムは、上記吸着素子に上記有機溶剤含有ガスが導入されることによって上記有機溶剤を上記吸着素子に吸着させて清浄ガスを排出する吸着部と、上記吸着素子に上記排ガスが導入されることによって上記有機溶剤を上記吸着素子から脱着させて上記有機溶剤を含有する脱着ガスを排出する脱着部と、上記脱着部における上記吸着素子の脱着処理が完了した部分が上記吸着部への移行の前に移行するパージ部とを有する濃縮装置と、上記脱着ガスまたは上記排ガスを含む上記脱着ガスを冷却し凝縮して上記有機溶剤を回収する冷却回収装置と、を備える。
【０００８】
上記吸着部から排出された上記清浄ガスの一部は上記パージ部に導入され、上記パージ部から排出されたパージ部出口ガスは、上記吸着部に導入される上記有機溶剤含有ガスに混入され、上記有機溶剤含有ガスは、上記パージ部出口ガスの熱エネルギーを受けて昇温した状態で上記吸着部に導入される。
【０００９】
上記パージ部出口ガスの一部は、上記排ガスとともに上記脱着部に供給され、且つ／または上記脱着ガスとともに上記冷却回収装置に供給され、上記パージ部出口ガスの残部は、上記有機溶剤含有ガスとともに上記吸着部に導入され、上記パージ部出口ガスの上記一部と上記パージ部出口ガスの上記残部との風量の比が調節されることによって、上記吸着部に導入される上記有機溶剤含有ガスの温度が調節される。
【００１０】
本発明の第２の局面に基づく有機溶剤回収システムは、有機溶剤を含有する温度が約５０℃〜約２００℃の排ガスから上記有機溶剤を回収する有機溶剤回収システムである。
【００１１】
当該有機溶剤回収システムは、上記有機溶剤を含有する有機溶剤含有ガスを接触させることで上記有機溶剤を吸着し且つ上記有機溶剤含有ガスよりも高温の排ガスを接触させることで吸着した上記有機溶剤を脱着する吸着素子を含む。
【００１２】
さらに、当該有機溶剤回収システムは、上記吸着素子に上記有機溶剤含有ガスが導入されることによって上記有機溶剤を上記吸着素子に吸着させて清浄ガスを排出する吸着部と、上記吸着素子に上記排ガスが導入されることによって上記有機溶剤を上記吸着素子から脱着させて上記有機溶剤を含有する脱着ガスを排出する脱着部と、上記脱着部における上記吸着素子の脱着処理が完了した部分が上記吸着部への移行の前に移行するパージ部とを有する濃縮装置と、上記脱着ガスまたは上記排ガスを含む上記脱着ガスを冷却し凝縮して上記有機溶剤を回収する冷却回収装置と、を備える。
【００１３】
上記有機溶剤含有ガスは、上記冷却回収装置において未回収の上記有機溶剤を含有するガスであり、上記冷却回収装置へ上記排ガスおよび上記脱着ガスを通過させる割合は、上記排ガスが０％〜５０％であり、上記脱着ガスが５０％〜１００％であり、上記吸着部から排出された上記清浄ガスの一部は上記パージ部に導入され、上記パージ部から排出されたパージ部出口ガスは、上記吸着部に導入される上記有機溶剤含有ガスに混入され、上記有機溶剤含有ガスは、上記パージ部出口ガスの熱エネルギーを受けて昇温した状態で上記吸着部に導入される。
【００１４】
上記パージ部出口ガスの一部は、上記排ガスとともに上記脱着部に供給され、且つ／または上記脱着ガスとともに上記冷却回収装置に供給され、上記パージ部出口ガスの残部は、上記有機溶剤含有ガスとともに上記吸着部に導入され、上記パージ部出口ガスの上記一部と上記パージ部出口ガスの上記残部との風量の比が調節されることによって、上記吸着部に導入される上記有機溶剤含有ガスの温度が調節される。
【００１５】
好適には、上記濃縮装置における上記パージ部の上記吸着部に対する割合は、約５％〜約５０％である。
【００１６】
好適には、上記排ガスは、生産設備から排出されるガスであり、上記清浄ガスの残部は、上記生産設備に戻される。
【００１７】
好適には、上記濃縮装置は、回転軸と、上記回転軸の周りに設けられた上記吸着素子としての筒状吸着体と、を備え、上記回転軸の周りに上記筒状吸着体を回転させることにより、上記吸着部において上記有機溶剤含有ガス中の上記有機溶剤を吸着した上記吸着素子が、上記脱着部を経て上記パージ部に連続的に移行する。
【００１８】
好適には、上記冷却回収装置へ上記排ガスおよび上記脱着ガスを通過させる割合が、上記排ガスが０％であり、上記脱着ガスが１００％である。
【００１９】
好適には、上記有機溶剤は、ｎ−メチル−２−ピロリドン、Ｎ，Ｎ−ジメチルホルムアミド、Ｎ，Ｎ−ジメチルアセトアミド、またはｎ−デカンである。
【発明の効果】
【００２０】
この発明に基づいた有機溶剤回収システムによれば、有機溶剤回収システムに用いられるエネルギーをより削減することが可能となる。
【図面の簡単な説明】
【００２１】
【図１】参考技術における有機溶剤回収システムの構造を示す概念図である。
【図２】実施の形態における有機溶剤回収システムの構造を示す概念図である。
【図３】実施の形態における有機溶剤回収システムに採用される濃縮装置の構造を示す模式図である。
【図４】実施の形態の他の構成における有機溶剤回収システムの構造を示す概念図である。
【発明を実施するための形態】
【００２２】
以下、発明を実施するための形態について、図面を参照して詳細に説明する。以下に示す実施の形態においては、同一または対応する部分について図中同一の符号を付し、その説明は繰り返さない場合がある。以下に説明する実施の形態において、個数、量などに言及する場合、特に記載がある場合を除き、本発明の範囲は必ずしもその個数、量などに限定されない。
【００２３】
（参考技術：有機溶剤回収システム１Ａ）
図１を参照して、本発明の有機溶剤回収システムに関する参考技術について説明する。参考技術としての有機溶剤回収システム１Ａは、生産設備１０００から排出される排ガス（Ｇ１）から有機溶剤を回収する有機溶剤回収システムであり、濃縮装置２０、再生ヒータ１００、冷却器３００、回収タンク４００、および、給気加熱装置５００を備えている。
【００２４】
（濃縮装置２０）
濃縮装置２０は、脱着部２１と吸着部２２とを有している。吸着部２２には有機溶剤を含む有機溶剤含有ガス（Ｇ２）が導入される。吸着材に有機溶剤含有ガス（Ｇ２）が接触することで、有機溶剤含有ガス（Ｇ２）に含有される有機溶剤が吸着材に吸着される。これにより有機溶剤含有ガス（Ｇ２）が清浄化されて清浄ガス（Ｇ３）として排出される。
【００２５】
脱着部２１には有機溶剤含有ガス（Ｇ２）よりも高温の清浄ガス（Ｇ３）が導入される。有機溶剤が吸着材から脱着され、これにより清浄ガス（Ｇ３）が有機溶剤を含有する脱着ガス（Ｇ４）として排出される。
【００２６】
濃縮装置２０の吸着部２２には、配管ラインＬ２，Ｌ３が接続されている。配管ラインＬ２は吸着部２２に有機溶剤含有ガス（Ｇ２）を導入する。配管ラインＬ３は、吸着部２２から清浄ガス（Ｇ３）を導出する。配管ラインＬ３には、再生ヒータ１００に分岐する配管ラインＬ７が接続されている。
【００２７】
配管ラインＬ３には、給気加熱装置５００への清浄ガス（Ｇ３）流量を調節するバルブＶ１０１が設けられ、配管ラインＬ７には、再生ヒータ１００への清浄ガス（Ｇ３）流量を調節するバルブＶ１０２が設けられている。
【００２８】
脱着部２１には配管ラインＬ８，Ｌ５が接続されている。配管ラインＬ８は脱着部２１に高温の清浄ガス（Ｇ３）を導入する。配管ラインＬ５は、脱着部２１から脱着ガス（Ｇ４）を導出する。
【００２９】
（再生ヒータ１００）
再生ヒータ１００は、清浄ガス（Ｇ３）を高温状態にする。再生ヒータ１００には、配管ラインＬ７，Ｌ８が接続されている。配管ラインＬ７は、清浄ガス（Ｇ３）を導入し、配管ラインＬ８は、高温の清浄ガス（Ｇ３）を濃縮装置２０の脱着部２１に導出する。
【００３０】
（冷却器３００および回収タンク４００）
冷却器３００および回収タンク４００により、冷却回収装置が構成される。冷却器３００は、冷却水等を用いて脱着ガス（Ｇ４）等を凝縮させる。冷却器３００は、脱着ガス（Ｇ４）等を、有機溶剤を高濃度に含有する回収液と、有機溶剤を低濃度に含有する有機溶剤含有ガス（Ｇ２）とに分離する。有機溶剤を高濃度に含有する回収液は、回収タンク４００に回収される。
【００３１】
冷却器３００には、配管ラインＬ１，Ｌ２，Ｌ６が接続されている。配管ラインＬ１には、配管ラインＬ５が合流している。配管ラインＬ１は、冷却器３００に排ガス（Ｇ１）および脱着ガス（Ｇ４）を導入し、配管ラインＬ２は、分離された有機溶剤を低濃度に含有する有機溶剤含有ガス（Ｇ２）を濃縮装置２０の吸着部２２に導出し、配管ラインＬ６は、分離された回収液を回収タンク４００に導出する。
【００３２】
（給気加熱装置５００）
給気加熱装置５００は、清浄ガス（Ｇ３）の温度を所定温度にまで加熱昇温させて、生産設備１０００に清浄ガス（Ｇ３）を給気する。給気加熱装置５００には、配管ラインＬ３，Ｌ４が接続されている。配管ラインＬ３は、濃縮装置２０の吸着部２２から送り出された清浄ガス（Ｇ３）を導入し、配管ラインＬ４は、生産設備１０００に所定温度にまで加熱昇温された清浄ガス（Ｇ３）を導出する。
【００３３】
（回収液の回収）
上記構成からなる有機溶剤回収システム１Ａを用いて、生産設備１０００として、リチウムイオン電池製造設備で使用される有機溶剤［ＮＭＰ（ｎ−メチル−２−ピロリドン）］を回収するシステムについて以下説明する。
【００３４】
生産設備１０００から排出される排ガス（Ｇ１）は、流量が約７７０ＮＣＭＭ、有機溶剤濃度が約１０００ｐｐｍ、温度が約１１０℃である。冷却器３００には、生産設備１０００から排出される排ガス（Ｇ１）と、濃縮装置２０から脱着された脱着ガス（Ｇ４）とが混合された状態で導入される。脱着ガス（Ｇ４）は、流量が約１１０ＮＣＭＭ、有機溶剤濃度が約２５８１ｐｐｍ、温度が約７３℃である。冷却器３００に導入される排ガス（Ｇ１）と脱着ガス（Ｇ４）との混合ガスは、流量が約８８０ＮＣＭＭ、有機溶剤濃度が約１１９８ｐｐｍ、温度が約１０５℃である。
【００３５】
排ガス（Ｇ１）と脱着ガス（Ｇ４）との混合ガスが冷却器３００において、有機溶剤を高濃度に含有する回収液と有機溶剤を低濃度に含有する有機溶剤含有ガス（Ｇ２）とに分離される。有機溶剤を高濃度に含有する回収液は、回収タンク４００に回収される。有機溶剤［ＮＭＰ］の濃度は約７８ｗｔ％である。有機溶剤を低濃度に含有する有機溶剤含有ガス（Ｇ２）は、有機溶剤濃度が約３４３ｐｐｍ、温度が約２８℃である。有機溶剤含有ガス（Ｇ２）は、配管ラインＬ２により濃縮装置２０の吸着部２２に導出される。
【００３６】
吸着部２２から導出される清浄ガス（Ｇ３）は、流量が約７７０ＮＣＭＭ、有機溶剤濃度が約２０ｐｐｍ、温度が約３３℃である。清浄ガス（Ｇ３）の一部は、配管ラインＬ３を通じて給気加熱装置５００に導出され、残部は、配管ラインＬ７を通じて再生ヒータ１００に導出される。給気加熱装置５００および再生ヒータ１００へのそれぞれに供給すべき清浄ガス（Ｇ３）の流量は、バルブＶ１０１およびバルブＶ１０２により適切に制御される。
【００３７】
再生ヒータ１００に導出された清浄ガス（Ｇ３）は、温度が約１３０℃に加熱された後、配管ラインＬ８を通じて濃縮装置２０の脱着部２１に導出される。脱着部２１における清浄ガス（Ｇ３）は、有機溶剤を吸着材から脱着させた後、有機溶剤を含有する脱着ガス（Ｇ４）として配管ラインＬ５，Ｌ１を通じて冷却器３００に導出される。
【００３８】
給気加熱装置５００に導出された清浄ガス（Ｇ３）は、温度が約７０℃に加熱された後、配管ラインＬ４を通じて生産設備１０００に導出される。
【００３９】
（実施の形態：有機溶剤回収システム１Ｂ）
次に、図２を参照して、本発明に基づいた実施の形態における有機溶剤回収システム１Ｂについて説明する。実施の形態における有機溶剤回収システム１Ｂも、上述した有機溶剤回収システム１Ａと同様に、生産設備１０００から排出される排ガス（Ｇ１）から有機溶剤を回収する有機溶剤回収システムである。有機溶剤回収システム１Ｂは、濃縮装置２００、再生ヒータ１００、冷却器３００、回収タンク４００、および、熱交換器６００を備えている。
【００４０】
（濃縮装置２００）
濃縮装置２００は、吸着素子を含んでおり、脱着部２１と吸着部２２とパージ部２３とを有している。濃縮装置２００の吸着素子に有機溶剤を含有するガスを接触させることで、吸着素子はガス中の有機溶剤を吸着する。有機溶剤を吸着したこの吸着素子に、有機溶剤を含有するガスよりも高温のガスを接触させることで、吸着素子は吸着した有機溶剤を脱着する。
【００４１】
濃縮装置２００においては、吸着素子は、吸着部２２（吸着状態）、脱着部２１（脱着状態）、およびパージ部２３（パージ状態）へと順次移行され、パージ部２３（パージ状態）の後は再び吸着部２２（吸着状態）へと移行する。すなわち、パージ部２３は脱着部２１（脱着状態）の後であって吸着部２２（吸着状態）の前に構成されている。
【００４２】
これらの移行は、たとえばローター式の濃縮装置であれば、吸着素子（筒状吸着体）の回転によって実現される（図３を参照して詳細は後述する）。これらの移行は、たとえばバッチ式の濃縮装置であれば、ダンパー（およびバルブ）操作によって、吸着素子を吸着部２２（吸着状態）、脱着部２１（脱着状態）、およびパージ部２３（パージ状態）に移行させることによって実現される。
【００４３】
濃縮装置２００の吸着部２２には、冷却器３００から未回収の有機溶剤を含む有機溶剤含有ガス（Ｇ２）と、パージ部２３から排出されたパージ部出口ガス（Ｇ６）との混合ガス（以下、吸着部入口ガス（Ｇ５）と称する）が導入される。吸着部２２における吸着材に吸着部入口ガス（Ｇ５）が接触し、吸着部入口ガス（Ｇ５）に含有される有機溶剤が吸着材に吸着される。これにより吸着部入口ガス（Ｇ５）が清浄化されて清浄ガス（Ｇ３）として排出される。
【００４４】
吸着部２２には配管ラインＬ２，Ｌ３が接続されている。配管ラインＬ２は吸着部２２に吸着部入口ガス（Ｇ５）を導入する。配管ラインＬ３は、吸着部２２から清浄ガス（Ｇ３）を導出する。吸着部２２の出口側には、清浄ガス（Ｇ３）の温度を測定する第１温度測定器Ｔ１が設けられている。吸着部２２の入口側には、吸着部入口ガス（Ｇ５）の温度を測定する第３温度測定器Ｔ３が設けられている。
【００４５】
配管ラインＬ３には、パージ部２３に分岐する配管ラインＬ１０が接続されている。配管ラインＬ３には、熱交換器６００への清浄ガス（Ｇ３）流量を調節するバルブＶ１１３が設けられ、配管ラインＬ１０には、パージ部２３への清浄ガス（Ｇ３）流量を調節するバルブＶ１１４が設けられている。
【００４６】
パージ部２３には、配管ラインＬ１０，Ｌ１１が接続されている。配管ラインＬ１０はパージ部２３に清浄ガス（Ｇ３）の一部を導入する。配管ラインＬ１１は、パージ部２３からパージ部出口ガス（Ｇ６）を導出する。配管ラインＬ１１は、配管ラインＬ２に合流している。
【００４７】
脱着部２１では、吸着部入口ガス（Ｇ５）よりも高温の排ガス（Ｇ１）を吸着剤に導入することで、有機溶剤が吸着材から脱着され、これにより排ガス（Ｇ１）が有機溶剤を含有する脱着ガス（Ｇ４）として排出される。
【００４８】
脱着部２１には配管ラインＬ８，Ｌ５が接続されている。配管ラインＬ８は生産設備１０００から排ガス（Ｇ１）を導入する。配管ラインＬ５は、脱着部２１から脱着ガス（Ｇ４）を導出する。脱着部２１の出口側には、脱着ガス（Ｇ４）の温度を測定する第２温度測定器Ｔ２が設けられている。
【００４９】
ここで図３を参照して、濃縮装置２００の具体的構成について説明する。この濃縮装置２００は一例としてローター式であり、円柱状の筒状吸着体２１０を利用している。図に示すように、円柱状の外形を有する筒状吸着体２１０を利用する場合には、軸方向にガスが流動可能となるように構成された筒状吸着体２１０の軸中心に回転軸２１１を設け、この回転軸２１１をアクチュエータ等によって回転駆動する。
【００５０】
筒状吸着体２１０には、吸着材としては、活性アルミナ、シリカゲル、活性炭素材やゼオライトが広く利用されており、中でも活性炭と疎水性ゼオライトが特に好適に利用されている。活性炭と疎水性ゼオライトは、低濃度の有機化合物を吸着、脱着する機能に優れており、古くから吸着材として各種の装置に利用されている。
【００５１】
筒状吸着体２１０の軸方向の両端面に近接するように、図３においては具体的に図示していない配管ラインＬ２，Ｌ３，Ｌ５，Ｌ８，Ｌ１０，Ｌ１１（図２参照）が接続されている。筒状吸着体２１０の一部は、吸着処理を行なうための吸着部２２として利用され、筒状吸着体２１０の他の一部は、脱着処理を行なうための脱着部２１として利用され、筒状吸着体２１０のさらに他の一部は、パージ処理を行なうためのパージ部２３として利用される。
【００５２】
筒状吸着体２１０の吸着部２２には、軸方向の一方から吸着部入口ガス（Ｇ５）が導入され、軸方向の他方から清浄ガス（Ｇ３）が導出される。筒状吸着体２１０の脱着部２１には、軸方向の一方から高温の排ガス（Ｇ１）が導入され、軸方向の他方から脱着ガス（Ｇ４）が導出される。筒状吸着体２１０のパージ部２３には、軸方向の一方から清浄ガス（Ｇ３）の一部が導入され、軸方向の他方からパージ部出口ガス（Ｇ６）が導出される。
【００５３】
この濃縮装置２００においては、筒状吸着体２１０が回転軸２１１を回転中心として図中矢印Ａ方向に所定の速度で回転する。これにより、筒状吸着体２１０の吸着処理が完了した部分は脱着処理を行なう脱着部２１へと移動し、筒状吸着体２１０の脱着処理が完了した部分はパージ処理を行なうパージ部２３へと移動し、さらにパージ処理が完了した部分は吸着処理を行なう吸着部２２へと移動する。この濃縮装置２００においては、同時に吸着処理と脱着処理とパージ処理とが行なわれることになり、連続的に清浄化処理を行なうことが可能となる。
【００５４】
ここで仮に、濃縮装置２００においてパージ部２３が形成されていないとする。この場合、脱着処理の直後、すなわち吸着処理の初期には吸着素子がまだ高温であるために吸着材としての吸着性能が低い。また、脱着処理を行う脱着部から吸着処理を行う吸着部へ回転移行する際の有機溶剤の持ち込みにより、吸着性能が低下する場合もある。
【００５５】
本実施の形態の濃縮装置２００においては、パージ部２３が、脱着部２１の後であって吸着部２２の前に構成されている。清浄ガス（Ｇ３）の一部がパージ部２３へ導入されることによって、パージ部２３における吸着素子が冷却される。清浄ガス（Ｇ３）によって吸着素子が冷却されるために、吸着素子の冷却効率が高い。
【００５６】
パージ部２３に導入された清浄ガス（Ｇ３）は、パージ部出口ガス（Ｇ６）として有機溶剤含有ガス（Ｇ２）とともに吸着部入口ガス（Ｇ５）として再び吸着部２２に導入される。このサイクルによって、濃縮装置２００は吸着部２２における有機溶剤の除去率を高めることができる。なお、パージ部２３の吸着部２２に対する割合は、約５％〜約５０％であるとよい。この割合が約５％を下回ると、所望のパージ効果を得ることができない。この割合が約５０％を上回ると、経済性が悪くなる。
【００５７】
また、パージ部２３において吸着素子と熱交換をした清浄ガス（Ｇ３）は、昇温されてパージ部出口ガス（Ｇ６）としてパージ部２３から導出される。昇温状態にあるパージ部出口ガス（Ｇ６）は、冷却器３００（図２参照）から導出された有機溶剤含有ガス（Ｇ２）と混合されることによって、有機溶剤含有ガス（Ｇ２）の温度を昇温させる。ここで、有機溶剤がｎ−メチル−２−ピロリドン等である場合、冷却器３００から導出された有機溶剤含有ガス（Ｇ２）の一部はミスト状となっている場合がある。
【００５８】
ミスト状の有機溶剤含有ガス（Ｇ２）は、吸着部２２に導入される前に、加熱されることによってすべてガス状にされる必要がある。有機溶剤回収システム１Ｂにおいては、パージ部２３から導出された昇温状態にあるパージ部出口ガス（Ｇ６）を活用して、ミスト状にある有機溶剤含有ガス（Ｇ２）を昇温させることができる。パージ部出口ガス（Ｇ６）によってミスト状の有機溶剤含有ガス（Ｇ２）を昇温させることで、その昇温に必要な他の加熱手段（図示せず）におけるエネルギーの使用量を低減することが可能となる。
【００５９】
濃縮装置２００の回転速度により、吸着工程の時間、脱着工程の時間、およびパージ工程の時間が制御される。第１温度測定器Ｔ１により測定される清浄ガス（Ｇ３）の温度、第２温度測定器Ｔ２により測定される脱着ガス（Ｇ４）の温度、および第３温度測定器Ｔ３により測定される吸着部入口ガス（Ｇ５）の温度が、それぞれ所定の温度となるように、濃縮装置２００の回転速度により、吸着工程の時間、脱着工程の時間およびパージ工程の時間が制御される。特に、清浄ガス（Ｇ３）、脱着ガス（Ｇ４）、または吸着部入口ガス（Ｇ５）の温度を所定の温度にする方法として、濃縮装置２００の吸着素子の前後や吸着素子自体にアルミ等の熱交換材を導入することも可能である。
【００６０】
（再生ヒータ１００）
再び図２を参照して、再生ヒータ１００は、生産設備１０００から延びる配管ラインＬ１と配管ラインＬ８との間に設けられている。生産設備１０００から排出される排ガス（Ｇ１）の温度が十分に高温の場合には再生ヒータ１００を用いることはない。しかし、生産設備１０００が稼動初期状態で、排ガス（Ｇ１）の温度が所定温度に達していない場合には、排ガス（Ｇ１）を所定温度にまで加熱するために再生ヒータ１００が用いられる。
【００６１】
生産設備１０００から延びる配管ラインＬ１には、配管ラインＬ１から分岐し、配管ラインＬ５に通じる配管ラインＬ９が設けられている。生産設備１０００から排出される排ガス（Ｇ１）の一部は、配管ラインＬ１、再生ヒータ１００、および配管ラインＬ８を通じて、濃縮装置２００の脱着部２１に送り出される。
【００６２】
生産設備１０００から排出される排ガス（Ｇ１）の残部は、配管ラインＬ９を通じて直接冷却器３００へ送り出されることが可能となっている。排ガス（Ｇ１）の脱着部２１への送り出し量および冷却器３００への送り出し量は、配管ラインＬ１に設けられたバルブＶ１１１および配管ラインＬ９に設けられたバルブＶ１１２によりそれぞれ制御される。
【００６３】
（冷却器３００および回収タンク４００）
冷却器３００および回収タンク４００により、冷却回収装置が構成される。冷却器３００は、冷却水等を用いて脱着ガス（Ｇ４）等を凝縮させることで、有機溶剤を高濃度に含有する回収液と有機溶剤を含有する有機溶剤含有ガス（Ｇ２）とに分離する。有機溶剤を高濃度に含有する回収液は、回収タンク４００に回収される。
【００６４】
冷却器３００には、配管ラインＬ２，Ｌ６，Ｌ７が接続されている。配管ラインＬ２は、分離された有機溶剤を含有する有機溶剤含有ガス（Ｇ２）を濃縮装置２００の吸着部２２に導出する。配管ラインＬ６は、分離された回収液を回収タンク４００に導出する。配管ラインＬ７は、脱着部２１から配管ラインＬ５および次述する熱交換器６００を通して脱着ガス（Ｇ４）が導入される。
【００６５】
（熱交換器６００）
熱交換器６００は、配管ラインＬ３と配管ラインＬ４との間に位置し、且つこの熱交換器６００は、配管ラインＬ５と配管ラインＬ７との間にも位置している。図２においては２つの熱交換器６００が離間して示されているが、熱交換器６００は、配管ラインＬ３，Ｌ４間の熱エネルギーと、配管ラインＬ５，Ｌ７間の熱エネルギーとを交換することができる。
【００６６】
熱交換器６００は、吸着部２２から導出された清浄ガス（Ｇ３）を熱交換によって昇温させた上で生産設備１０００に送り出す。熱交換器６００は、脱着部２１から導出された脱着ガスＧ４を熱交換によって降温させた上で冷却器３００に送り出す。熱交換器６００の熱交換によって、生産設備に送り出す清浄ガス（Ｇ３）を所定の温度にするための他のエネルギーの使用量を低減することが可能となる。熱交換器６００の熱交換によって、冷却器３００に送り出す脱着ガス（Ｇ４）を所定の温度にするための他のエネルギーの使用量を低減することが可能となる。
【００６７】
（有機溶剤の回収）
上記構成からなる有機溶剤回収システム１Ｂにおいて、参考技術で説明した有機溶剤回収システム１Ａと同様に、生産設備１０００としてリチウムイオン電池製造設備で使用される有機溶剤［ＮＭＰ（ｎ−メチル−２−ピロリドン）］を回収するシステムについて以下説明する。
【００６８】
生産設備１０００から排出される排ガス（Ｇ１）は、流量が約７７０ＮＣＭＭ、有機溶剤濃度が約１０００ｐｐｍ、温度が約１１０℃である。バルブＶ１１１を全開状態にし、バルブＶ１１２を閉鎖状態にし、生産設備１０００から排出される排ガス（Ｇ１）を１００％脱着部２１に導入する。ここでは、排ガス（Ｇ１）の温度は、十分に高温状態であることから、再生ヒータ１００による排ガス（Ｇ１）の加熱は行なわない。
【００６９】
脱着部２１から排出される脱着ガス（Ｇ４）は、流量が約７７０ＮＣＭＭ、有機溶剤濃度が約１８０３ｐｐｍ、温度が約９３℃である。バルブＶ１１２を閉鎖状態にし、生産設備１０００から排出される排ガス（Ｇ１）を脱着部２１に１００％導入していることから、冷却器３００に導入されるガスは、脱着ガス（Ｇ４）が１００％、直接導入される排ガス（Ｇ１）は０％である。
【００７０】
脱着ガス（Ｇ４）が、冷却器３００において有機溶剤を高濃度に含有する回収液と有機溶剤を含有する有機溶剤含有ガス（Ｇ２）とに分離される。有機溶剤を高濃度に含有する回収液は、回収タンク４００に回収される。有機溶剤［ＮＭＰ］の濃度は約８９ｗｔ％である。有機溶剤を含有する有機溶剤含有ガス（Ｇ２）は、流量が約７７０ＮＣＭＭ、有機溶剤濃度が約８５７ｐｐｍ、温度が約３７℃である。
【００７１】
この有機溶剤含有ガス（Ｇ２）には、配管ラインＬ２に接続された配管ラインＬ１１により、パージ部出口ガス（Ｇ６）が混合される。パージ部出口ガス（Ｇ６）は、流量が約１００ＮＣＭＭ、有機溶剤濃度が約３８６ｐｐｍ、温度が約１００℃である。有機溶剤含有ガス（Ｇ２）とパージ部出口ガス（Ｇ６）との混合からなる吸着部入口ガス（Ｇ５）は、流量が約８７０ＮＣＭＭ、有機溶剤濃度が約８０３ｐｐｍ、温度が約４４℃である。吸着部入口ガス（Ｇ５）は濃縮装置２００の吸着部２２に導出される。
【００７２】
濃縮装置２００の吸着部２２により有機溶剤が吸着された清浄ガス（Ｇ３）は、流量が約７７０ＮＣＭＭ、有機溶剤濃度が約１２ｐｐｍ、温度が約５３℃である。清浄ガス（Ｇ３）の一部は、配管ラインＬ１０を通じてパージ部２３に導出される。清浄ガス（Ｇ３）の残部は、配管ラインＬ３を通じて熱交換器６００に導出される。
【００７３】
パージ部２３に導出された清浄ガス（Ｇ３）は、パージ部２３における吸着素子を冷却し、パージ部出口ガス（Ｇ６）として昇温された状態でパージ部２３から導出される。熱交換器６００に導出された清浄ガス（Ｇ３）は、脱着部２１から冷却器３００へ送り出されている脱着ガス（Ｇ４）と熱交換し、昇温した状態で熱交換器６００から生産設備１０００へと導出される。
【００７４】
（作用・効果）
上記構成を有する有機溶剤回収システム１Ｂの作用効果について、参考技術として説明した有機溶剤回収システム１Ａと比較した場合について説明する。
【００７５】
本実施の形態における有機溶剤回収システム１Ｂによれば、パージ部２３が、脱着部２１の後であって吸着部２２の前に構成されている。清浄ガス（Ｇ３）の一部がパージ部２３へ導入されることによって、パージ部２３における吸着素子が冷却される。清浄ガス（Ｇ３）によって吸着素子が冷却されるために、吸着素子の冷却効率が高い。
【００７６】
パージ部２３に導入された清浄ガス（Ｇ３）は、パージ部出口ガス（Ｇ６）として有機溶剤含有ガス（Ｇ２）とともに吸着部入口ガス（Ｇ５）として再び吸着部２２に導入される。このサイクルによって、濃縮装置２００は吸着部２２における有機溶剤の除去率を高めることができる。
【００７７】
（冷却器３００に必要な冷却温度の上昇が可能  ２８℃→３７℃）
本実施の形態における有機溶剤回収システム１Ｂによれば、生産設備１０００から排出される高温状態の排ガス（Ｇ２）を濃縮装置２００の脱着部２１に送り込むことで、有機溶剤回収システム１Ａにおける再生ヒータ１００の使用が不要となり、ユーティリティ使用量の増加を抑制することが可能となる。
【００７８】
具体的には、有機溶剤回収システム１Ａにおいては、再生ヒータ１００により脱着部２１に導出する清浄ガス（Ｇ３）を３３℃から１３０℃に加熱する必要があった。しかし、本実施の形態における有機溶剤回収システム１Ｂによれば、高温状態の排ガス（Ｇ２）を高温状態で濃縮装置２００の脱着部２１に送り込むことから、脱着部２１に導出するガスの加熱を行なう必要がない。その結果、濃縮装置２００における濃縮倍率（吸着風量／脱着風量）を低減することが可能となる。なお、脱着部２１においては、ＮＭＰが高濃度含有した排ガス（Ｇ２）による脱着操作となるため、脱着効率の高い吸着材を用いることで、脱着操作の向上を図ることができる。
【００７９】
このように、本実施の形態における有機溶剤回収システム１Ｂにおいては、有機溶剤回収システム１Ａと比較した場合、経済的に濃縮倍率を低くすることで、濃縮装置２００の性能向上を図ることが可能となり、冷却器３００の冷却温度を上昇（２８℃→３７℃）させることが可能となり、冷却器３００のユーティリティ使用量の削減を可能とする。
【００８０】
その上、有機溶剤がｎ−メチル−２−ピロリドン等である場合、冷却器３００から導出された有機溶剤含有ガス（Ｇ２）の一部はミスト状となっている。ミスト状の有機溶剤含有ガス（Ｇ２）は、吸着部２２に導入される前に、昇温されることによってガス状になっている必要がある。パージ部２３から導出された昇温状態にあるパージ部出口ガス（Ｇ６）を活用して、ミスト状にある有機溶剤含有ガス（Ｇ２）を昇温させることができる。パージ部出口ガス（Ｇ６）によってミスト状の有機溶剤含有ガス（Ｇ２）昇温させることで、その昇温に必要な他の加熱手段（図示せず）におけるエネルギーの使用量を低減することが可能となる。
【００８１】
（冷却器３００への導入ガス温度の低減が可能  １０５℃→７３℃）
また、生産設備１０００から排出される高温状態の排ガス（Ｇ１）を濃縮装置２００の脱着部２１に送り込むことで、吸着材による熱交換が行なわれることとなり、冷却器３００への導入前のガス温度を低減（１０５℃→７３℃）させることが可能となり、冷却器３００のユーティリティ使用量の削減を可能とする。
【００８２】
その上、配管ラインＬ３，Ｌ４間と熱交換が可能な熱交換器６００が配管ラインＬ５，Ｌ７間に設けられていることによって、熱交換器６００の熱交換によって、冷却器３００に送り出す脱着ガス（Ｇ４）を所定の温度にするための他のエネルギー使用量の削減を可能とする。
【００８３】
（給気加熱装置５００の導入温度の上昇が可能  ３３℃→５３℃）
また、生産設備１０００から排出される高温状態の排ガス（Ｇ１）を濃縮装置２００の脱着部２１に送り込むことで、吸着材による熱交換が行なわれることとなり、熱交換器６００への導入前のガス温度を上昇（３３℃→５３℃）させることが可能となる。配管ラインＬ５，Ｌ７間と熱交換が可能な熱交換器６００が配管ラインＬ３，Ｌ４間に設けられていることによって、熱交換器６００の熱交換によって、生産設備に送り出す清浄ガス（Ｇ３）を所定の温度にするための他のエネルギー使用量の削減を可能とする。
【００８４】
このように、本実施の形態における有機溶剤回収システム１Ｂによれば、生産設備１０００から排出される高温状態の排ガス（Ｇ１）を濃縮装置２００の脱着部２１に送り込むことにより、システム全体としてのランニングコストを、有機溶剤回収システム１Ａに場合と比較して大きく削減することが可能となる。
【００８５】
（ＮＭＰ回収液の濃度向上  ７８ｗｔ％→８９ｗｔ％）
また、本実施の形態における有機溶剤回収システム１Ｂによれば、有機溶剤回収システム１Ａに場合と比較して、冷却器３００の温度を上昇させることができるため、水の凝縮量が低減し、回収液中のＮＭＰ濃度を向上（７８ｗｔ％→８９ｗｔ％）させることが可能となる。
【００８６】
なお、上記の実施の形態における有機溶剤回収システム１Ｂにおいては、排ガス（Ｇ１）の温度の一例として１１０℃を想定した場合を示しているが、生産設備から排出される排ガス（Ｇ１）の温度としては、５０℃〜２００℃が想定される。したがって、排ガスの温度が所定温度に達していない場合には、必要に応じて、再生ヒータ１００を用いて排ガス（Ｇ１）の加熱を行なう。
【００８７】
また、生産設備１０００から排出された排ガス（Ｇ１）を１００％脱着部２１に導出し、脱着ガス（Ｇ４）を１００％冷却器３００に導出する場合について説明しているが、生産設備から排出される排ガス（Ｇ１）の一部を、配管ラインＬ９を通じて直接冷却器３００に導出させることも可能である。冷却器３００を通過させるガスの想定される割合は、排ガス（Ｇ１）が０％〜５０％、脱着ガス（Ｇ４）が５０％〜１００％程度である。
【００８８】
また、排ガス（Ｇ１）として生産設備１０００から排出されたガスを用い、浄化されたガスを生産設備１０００に戻す場合について説明しているが、排ガス（Ｇ１）として生産設備１０００から排出されたガスを直接用いる必要はなく、同様の性質を有する排ガス（Ｇ１）であれば、本実施の形態における有機溶剤回収システム１Ｂを用いて、高濃度の有機溶剤を回収することが可能である。また、浄化されたガスを生産設備１０００に戻す必要はなく、清浄されたガスを他の用途に用いることも可能である。
【００８９】
また、有機溶剤として［ＮＭＰ（ｎ−メチル−２−ピロリドン）］を回収する場合について説明しているが、この有機溶剤に限定されることなく、１℃〜５０℃の冷却にて液化して回収できる有機溶剤であれば良い。即ち、有機溶剤としては、たとえば、Ｎ，Ｎ−ジメチルホルムアミド、Ｎ，Ｎ−ジメチルアセトアミド、またはｎ−デカンである。ＮＭＰと同様の特性を有するこれらの有機溶剤の回収に対しても、本発明に基づいた有機溶剤回収システム１Ｂを用いることが可能である。
【００９０】
また、上記の実施の形態における有機溶剤回収システム１Ｂにおいては、濃縮装置２００の回転速度により、吸着工程、脱着工程、およびパージ工程の各時間が制御される。清浄ガス（Ｇ３）、脱着ガス（Ｇ４）、および吸着部入口ガス（Ｇ５）の温度が、それぞれ所定の温度となるように、濃縮装置２００の回転速度により、吸着工程、脱着工程およびパージ工程の各時間が制御される場合について説明している。
【００９１】
図４に示す有機溶剤回収システム１Ｃのように、清浄ガス（Ｇ３）、脱着ガス（Ｇ４）、吸着部入口ガス（Ｇ５）の各温度は、パージ部出口ガス（Ｇ６）の一部を、脱着ガス（Ｇ４）と混合した状態で冷却器３００に導入することによって調節されてもよい。この場合、配管ラインＬ１１から分岐し配管ラインＬ５に接続する配管ラインＬ１２を設ける。配管ラインＬ１２におけるパージ部出口ガス（Ｇ６）の風量は、バルブＶ１１５によって調節されるとよい。
【００９２】
また、清浄ガス（Ｇ３）、脱着ガス（Ｇ４）、吸着部入口ガス（Ｇ５）の各温度は、パージ部出口ガス（Ｇ６）の一部を、排ガス（Ｇ１）と混合した状態で脱着部２１に導入することによって調節されてもよい。この場合、配管ラインＬ１１から分岐し配管ラインＬ８に接続する配管ラインＬ１３を設ける。配管ラインＬ１３におけるパージ部出口ガス（Ｇ６）の風量は、バルブＶ１１６によって調節されるとよい。なお、清浄ガス（Ｇ３）、脱着ガス（Ｇ４）、吸着部入口ガス（Ｇ５）の各温度を調節するために、配管ラインＬ１２，Ｌ１３の両方が設けられていてもよい。
【００９３】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００９４】
１Ａ〜１Ｃ  有機溶剤回収システム、２０，２００  濃縮装置、２１  脱着部、２２  吸着部、２３  パージ部、１００  再生ヒータ、２１０  筒状吸着体、２１１  回転軸、３００  冷却器、４００  回収タンク、５００  給気加熱装置、６００  熱交換器、１０００  生産設備、Ｇ１  排ガス、Ｇ２  有機溶剤含有ガス、Ｇ３  清浄ガス、Ｇ４  脱着ガス、Ｇ５  吸着部入口ガス、Ｇ６  パージ部出口ガス、Ｌ１〜Ｌ１３  配管ライン、Ｔ１〜Ｔ３  温度測定器、Ｖ１０１，Ｖ１０２，Ｖ１１１〜Ｖ１１６  バルブ。
【図１】
0005573354.tif 000002
【図２】
0005573354.tif 000003
【図３】
0005573354.tif 000004
【図４】
0005573354.tif 000005